(57)【要約】【課題】使用環境の温度変化に対する耐久性を有する採光用構造体、および、かかる採光用構造体を施工する方法を提供すること。【解決手段】採光用構造体１は、屋根３０の開口部３０７を覆うように配置され、板状をなし、光透過性を有する採光部材２と、屋根３０の第１の凸条３０３Ａに沿った長尺な板状をなし、第１の凸条３０３Ａの頂部３０８上で採光部材２の一方の耳部２２を挟持する第１の挟持板３Ａおよび第１の挟持板４Ａと、屋根３０の第２の凸条３０３Ｂに沿った長尺な板状をなし、第２の凸条３０３Ｂの頂部３０８上で採光部材２の他方の耳部２２を挟持する第２の挟持板３Ｂおよび第２の挟持板４Ｂと、採光部材２への挟持力を付与する挟持力付与機構５とを備える。【選択図】図９
2017186774.tif 000002
【特許請求の範囲】
【請求項１】
互いに直交するｘ方向とｙ方向とを想定したとき、前記ｘ方向に沿って延在する凸条を複数有し、該複数の凸条が前記ｙ方向に沿って配置された屋根に設置され、屋内に光を採り入れる採光用構造体であって、
前記複数の凸条には、第１の凸条と、該第１の凸条と異なる位置にある第２の凸条とが含まれており、前記屋根は、前記第１の凸条の頂部と前記第２の凸条の頂部との間の部分に開口して形成された開口部を有するものであり、
当該採光用構造体は、前記開口部を覆うように配置され、板状をなし、光透過性を有する採光部材と、
前記第１の凸条に沿った長尺な板状をなし、該第１の凸条の頂部上で前記採光部材の縁部を挟持する一対の第１の挟持板と、
前記第２の凸条に沿った長尺な板状をなし、該第２の凸条の頂部上で前記採光部材の縁部を挟持する一対の第２の挟持板と、
前記一対の第１の挟持板に前記採光部材への挟持力を付与するとともに、前記一対の第２の挟持板に前記採光部材への挟持力を付与する挟持力付与機構とを備えることを特徴とする採光用構造体。
【請求項２】
前記採光部材が使用環境の温度変化によって膨張収縮する際、前記一対の第１の挟持板と前記一対の第２の挟持板とは、それぞれ、前記採光部材の伸縮方向を前記ｘ方向に規制する機能を有する請求項１に記載の採光用構造体。
【請求項３】
前記一対の第１の挟持板は、前記採光部材を上下方向に挟持するものであり、前記一対の第１の挟持板のうち、前記採光部材の上側に位置する第１の挟持板は、前記採光部材の下側に位置する第１の挟持板よりも幅が広く、
前記一対の第２の挟持板は、前記採光部材を上下方向に挟持するものであり、前記一対の第２の挟持板のうち、前記採光部材の上側に位置する第２の挟持板は、前記採光部材の下側に位置する第２の挟持板よりも幅が広い請求項１または２に記載の採光用構造体。
【請求項４】
前記挟持力付与機構は、前記ｙ方向に沿って延在し、前記第１の凸条および前記第２の凸条以外の他の前記凸条に固定される少なくとも１本の梁と、
前記梁に連結され、前記採光部材の上側に位置する第１の挟持板と、前記採光部材の上側に位置する第２の挟持板とを一括して上方から押さえ付ける押さえ付け部材とを有する請求項３に記載の採光用構造体。
【請求項５】
前記採光部材の上側に位置する第１の挟持板と、前記採光部材の上側に位置する第２の挟持板とは、それぞれ、前記押さえ付け部材を下方から支持する支持部を有する請求項４に記載の採光用構造体。
【請求項６】
前記梁は、その両端部が固定される請求項４または５に記載の採光用構造体。
【請求項７】
前記採光部材の前記各縁部には、折り返された折り返し部を有する請求項１ないし６のいずれか１項に記載の採光用構造体。
【請求項８】
前記採光部材は、前記ｘ方向に沿って延在する少なくとも１つの凹部を有するものである請求項１ないし７のいずれか１項に記載の採光用構造体。
【請求項９】
前記開口部のｙ方向の大きさを規制する規制部材を備える請求項１ないし８のいずれか１項に記載の採光用構造体。
【請求項１０】
請求項１ないし９のいずれか１項に記載の採光用構造体を前記屋根に施工する方法であって、
前記第１の凸条の頂部上に前記一対の第１の挟持板のうちの一方の第１の挟持板を設置するとともに、前記第２の凸条の頂部上に前記一対の第２の挟持板のうちの一方の第２の挟持板を設置する第１の工程と、
前記開口部を前記採光部材で覆うとともに、該採光部材を前記一方の第１の挟持板および前記一方の第２の挟持板上に重ねる第２の工程と、
前記一対の第１の挟持板のうちの他方の第１の挟持板を前記一方の第１の挟持板上に前記採光部材を介して重ねるとともに、前記一対の第２の挟持板のうちの他方の第２の挟持板を前記一方の第２の挟持板上に前記採光部材を介して重ねる第３の工程と、
前記挟持力付与機構を設置して、前記一対の第１の挟持板に前記採光部材への挟持力を付与するとともに、前記一対の第２の挟持板に前記採光部材への挟持力を付与する第４の工程とを有することを特徴とする採光用構造体の施工方法。
【発明の詳細な説明】
【技術分野】
【０００１】
本発明は、採光用構造体および採光用構造体の施工方法に関する。
【背景技術】
【０００２】
屋根には、屋内に屋外の光を取り込むための採光部が設けられていることがある。採光部には、屋根の一部に形成された開口部に、光透過性を有する板材をボルト等で装着、固定することにより構成されるものがある（例えば、特許文献１参照）。板材には、ボルトが貫通するボルト用孔が形成されている。
【０００３】
しかしながら、板材は、使用環境の温度変化によって膨張収縮を繰り返していくうちに、ボルト用孔の縁部にボルトが干渉して亀裂が生じることがある。この場合、雨水等の水が亀裂を介して屋内に浸入してくるという問題があった。また、ボルトとの干渉を防止しようとして、ボルト用孔の大きさを十分に確保したとしても、ボルト用孔が大きくなった分、当該ボルト用孔を介して雨水等の水が屋内に浸入してくる可能性が高まる。
【先行技術文献】
【特許文献】
【０００４】
【特許文献１】特開２０１３−０３２６９２号公報
【発明の概要】
【発明が解決しようとする課題】
【０００５】
本発明の目的は、使用環境の温度変化に対する耐久性を有する採光用構造体、および、かかる採光用構造体を施工する方法を提供することにある。
【課題を解決するための手段】
【０００６】
このような目的は、下記（１）〜（１０）の本発明により達成される。
（１）  互いに直交するｘ方向とｙ方向とを想定したとき、前記ｘ方向に沿って延在する凸条を複数有し、該複数の凸条が前記ｙ方向に沿って配置された屋根に設置され、屋内に光を採り入れる採光用構造体であって、
前記複数の凸条には、第１の凸条と、該第１の凸条と異なる位置にある第２の凸条とが含まれており、前記屋根は、前記第１の凸条の頂部と前記第２の凸条の頂部との間の部分に開口して形成された開口部を有するものであり、
当該採光用構造体は、前記開口部を覆うように配置され、板状をなし、光透過性を有する採光部材と、
前記第１の凸条に沿った長尺な板状をなし、該第１の凸条の頂部上で前記採光部材の縁部を挟持する一対の第１の挟持板と、
前記第２の凸条に沿った長尺な板状をなし、該第２の凸条の頂部上で前記採光部材の縁部を挟持する一対の第２の挟持板と、
前記一対の第１の挟持板に前記採光部材への挟持力を付与するとともに、前記一対の第２の挟持板に前記採光部材への挟持力を付与する挟持力付与機構とを備えることを特徴とする採光用構造体。
【０００７】
（２）  前記採光部材が使用環境の温度変化によって膨張収縮する際、前記一対の第１の挟持板と前記一対の第２の挟持板とは、それぞれ、前記採光部材の伸縮方向を前記ｘ方向に規制する機能を有する上記（１）に記載の採光用構造体。
【０００８】
（３）  前記一対の第１の挟持板は、前記採光部材を上下方向に挟持するものであり、前記一対の第１の挟持板のうち、前記採光部材の上側に位置する第１の挟持板は、前記採光部材の下側に位置する第１の挟持板よりも幅が広く、
前記一対の第２の挟持板は、前記採光部材を上下方向に挟持するものであり、前記一対の第２の挟持板のうち、前記採光部材の上側に位置する第２の挟持板は、前記採光部材の下側に位置する第２の挟持板よりも幅が広い上記（１）または（２）に記載の採光用構造体。
【０００９】
（４）  前記挟持力付与機構は、前記ｙ方向に沿って延在し、前記第１の凸条および前記第２の凸条以外の他の前記凸条に固定される少なくとも１本の梁と、
前記梁に連結され、前記採光部材の上側に位置する第１の挟持板と、前記採光部材の上側に位置する第２の挟持板とを一括して上方から押さえ付ける押さえ付け部材とを有する上記（３）に記載の採光用構造体。
【００１０】
（５）  前記採光部材の上側に位置する第１の挟持板と、前記採光部材の上側に位置する第２の挟持板とは、それぞれ、前記押さえ付け部材を下方から支持する支持部を有する上記（４）に記載の採光用構造体。
【００１１】
（６）  前記梁は、その両端部が固定される上記（４）または（５）に記載の採光用構造体。
【００１２】
（７）  前記採光部材の前記各縁部には、折り返された折り返し部を有する上記（１）ないし（６）のいずれかに記載の採光用構造体。
【００１３】
（８）  前記採光部材は、前記ｘ方向に沿って延在する少なくとも１つの凹部を有するものである上記（１）ないし（７）のいずれかに記載の採光用構造体。
【００１４】
（９）  前記開口部のｙ方向の大きさを規制する規制部材を備える上記（１）ないし（８）のいずれかに記載の採光用構造体。
【００１５】
（１０）  上記（１）ないし（９）のいずれかに記載の採光用構造体を前記屋根に施工する方法であって、
前記第１の凸条の頂部上に前記一対の第１の挟持板のうちの一方の第１の挟持板を設置するとともに、前記第２の凸条の頂部上に前記一対の第２の挟持板のうちの一方の第２の挟持板を設置する第１の工程と、
前記開口部を前記採光部材で覆うとともに、該採光部材を前記一方の第１の挟持板および前記一方の第２の挟持板上に重ねる第２の工程と、
前記一対の第１の挟持板のうちの他方の第１の挟持板を前記一方の第１の挟持板上に前記採光部材を介して重ねるとともに、前記一対の第２の挟持板のうちの他方の第２の挟持板を前記一方の第２の挟持板上に前記採光部材を介して重ねる第３の工程と、
前記挟持力付与機構を設置して、前記一対の第１の挟持板に前記採光部材への挟持力を付与するとともに、前記一対の第２の挟持板に前記採光部材への挟持力を付与する第４の工程とを有することを特徴とする採光用構造体の施工方法。
【発明の効果】
【００１６】
本発明によれば、使用環境の温度変化に対する耐久性を有する採光用構造体が得られるとともに、かかる採光用構造体を施工する方法を行なうことができる。
【図面の簡単な説明】
【００１７】
【図１】図１は、本発明の採光用構造体を工場の屋根に設置した状態を示す斜視図である。
【図２】図２は、図１中の採光用構造体の垂直横断面図である。
【図３】図３は、図１に示す採光用構造体を屋根に施工する方法（本発明の採光用構造体の施工方法）を順に示す概略断面斜視図である。
【図４】図４は、図１に示す採光用構造体を屋根に施工する方法（本発明の採光用構造体の施工方法）を順に示す概略断面斜視図である。
【図５】図５は、図１に示す採光用構造体を屋根に施工する方法（本発明の採光用構造体の施工方法）を順に示す概略断面斜視図である。
【図６】図６は、図１に示す採光用構造体を屋根に施工する方法（本発明の採光用構造体の施工方法）を順に示す概略断面斜視図である。
【図７】図７は、図１に示す採光用構造体を屋根に施工する方法（本発明の採光用構造体の施工方法）を順に示す概略断面斜視図である。
【図８】図８は、図１に示す採光用構造体を屋根に施工する方法（本発明の採光用構造体の施工方法）を順に示す概略断面斜視図である。
【図９】図９は、図１に示す採光用構造体を屋根に施工する方法（本発明の採光用構造体の施工方法）を順に示す概略断面斜視図である。
【図１０】図１０は、図１に示す採光用構造体を屋根に施工する方法（本発明の採光用構造体の施工方法）を順に示す概略断面斜視図である。
【図１１】図１１は、図１に示す採光用構造体を屋根に施工する方法（本発明の採光用構造体の施工方法）を順に示す概略断面斜視図である。
【図１２】図１２は、図１に示す採光用構造体を屋根に施工する方法（本発明の採光用構造体の施工方法）を順に示す概略断面斜視図である。
【図１３】図１３は、本発明の採光用構造体の第２実施形態を示す垂直横断面図である。
【図１４】図１４は、本発明の採光用構造体の第３実施形態を示す斜視図である。
【図１５】図１５は、本発明の採光用構造体の第４実施形態を示す垂直横断面図である。
【発明を実施するための形態】
【００１８】
以下、本発明の採光用構造体および採光用構造体の施工方法を添付図面に示す好適な実施形態に基づいて詳細に説明する。
【００１９】
＜第１実施形態＞
図１は、本発明の採光用構造体を工場の屋根に設置した状態を示す斜視図である。図２は、図１中の採光用構造体の垂直横断面図である。図３〜図１２は、それぞれ、図１に示す採光用構造体を屋根に施工する方法（本発明の採光用構造体の施工方法）を順に示す概略断面斜視図である。なお、以下では、説明の都合上、屋根の傾斜方向を「ｘ方向」、ｘ方向に直交する水平な方向を「ｙ方向」、鉛直方向を「ｚ方向」と言う。また、図１〜図１５中の上側を「上」または「上方」と言い、下側を「下」または「下方」と言うこともある。また、図１〜図１５中の左側を「左」または「左方」と言い、右側を「右」または「右方」と言うこともある。
【００２０】
図１に示すように、採光用構造体１は、例えば工場２０の屋根３０に設置して用いることができる。
【００２１】
採光用構造体１について説明する前に、屋根３０について説明する。
屋根３０は、全体として、水平となっていてもよいが、壁際部３０１から軒先３０２に向かって傾斜しているのが好ましい。なお、屋根３０が傾斜している場合、その傾斜の程度（斜度）としては、特に限定されず、例えば、３％程度が好ましい。
【００２２】
例えば図２や図３に示すように、屋根３０は、山状に突出し（隆起し）、ｘ方向に沿って延在する凸条３０３を複数有している。そして、これらの凸条３０３は、ｙ方向に沿って等間隔に配置されている。これにより、屋根３０は、全体として波形をなすものとなる。また、各凸条３０３のｙ方向の両側には、それぞれ、傾斜面３０５を有している。
【００２３】
また、ｘ方向に隣接する凸条３０３同士間の部分は、溝３０４となっている。この溝３０４の底部３０６は、平面となっており、屋根３０の傾斜方向下方に向かって雨水等が流れることができる。これにより、屋根３０は、水はけがよいものとなる。
【００２４】
このような波形をなす屋根３０は、長尺状をなす金属板を幅方向に所定箇所折り曲げて、当該折り曲げられた金属板同士を組み合わせた構成となっている。
【００２５】
図３に示すように、屋根３０には、開口部３０７が形成されている。開口部３０７は、ｙ方向に隣接する凸条３０３の頂部３０８同士の間の部分を開口して、すなわち、欠損して形成されている。そして、屋根３０の開口部３０７の上方には、採光用構造体１が設置されている。以下、開口部３０７が形成され、隣接する２つの凸条３０３をそれぞれ「第１の凸条３０３Ａ」、「第２の凸条３０３Ｂ」と言う。また、第１の凸条３０３Ａに対し、第２の凸条３０３Ｂと反対側に隣接する凸条を「第３の凸条３０３Ｃ」と言い、第２の凸条３０３Ｂに対し、第１の凸条３０３Ａと反対側に隣接する凸条を「第３の凸条３０３Ｄ」と言う（図１０〜図１２参照）。なお、凸条３０３を１つ構成するには、２枚の金属板を連結し、係合させることによりなる。この連結係合部３０９は、頂部３０８に位置している。
【００２６】
次に、採光用構造体１について説明する。
図２に示すように、採光用構造体１は、屋外の光、すなわち、自然光ＮＬを屋内４０（工場２０内）に採り入れるものである。
【００２７】
図２、図９、図１２に示すように、採光用構造体１は、採光部材２と、第１の挟持板３Ａおよび第１の挟持板４Ａと、第２の挟持板３Ｂおよび第２の挟持板４Ｂと、挟持力付与機構５とを備えている。
【００２８】
採光部材２は、自然光ＮＬが透過する程度の光透過性を有する樹脂材料で構成され、このような材料としては、特に限定されないが、例えば、ポリカーボネートが好ましい。なお、採光部材２は、透明なものであってもよいし、半透明なものであってもよいが、自然光ＮＬの透過率が５％以上、９５％以下であるのが好ましく、２０％以上、９０％以下であるのがより好ましい。また、採光部材２は、無色のものであってもよいし、有色のものであってもよい。
【００２９】
図２、図５に示すように、採光部材２は、ｘ方向に沿った長尺な板状をなし、屋根３０の開口部３０７を覆うように配置されている。これにより、採光部材２を透過した自然光ＮＬを屋内４０に十分に採り込むことができる。
【００３０】
また、採光部材２は、ｙ方向の中央部に凹部２１を有している。凹部２１は、ｘ方向に沿って延在している。凹部２１の底面２１１は、平面となっており、屋根３０の溝３０４の底部３０６と同様に、屋根３０の傾斜方向下方に向かって雨水等が流れることができる。これにより、採光部材２も、水はけがよいものとなる。
【００３１】
凹部２１のｙ方向の両側面は、それぞれ、傾斜面２１２となっている。傾斜面２１２同士がなす角度は、溝３０４を介してその両側の傾斜面３０５同士がなす角度と同じであるのが好ましい。これにより、屋根３０は、採光部材２を含んだ全体として、前記波形が揃った状態となり、よって、見栄えがよいものとなる。
【００３２】
なお、屋根３０に形成された開口部３０７は、本実施形態では隣接する２つの凸条３０３の頂部３０８同士の間に形成されているが、これに限定されず、１つ以上の凸条３０３を間に挟んで（跨いで）配置された２つの凸条３０３の頂部３０８同士の間に形成されたものであってもよい。この場合には、採光部材２の凹部２１の形成数も、間に挟まれた凸条３０３の個数に応じて増減する。例えば、１つの凸条３０３を間に挟んで配置された２つの凸条３０３の頂部３０８同士の間に、開口部３０７が形成されている場合、採光部材２の凹部２１の形成数は、２つとなる。
【００３３】
凹部２１のｙ方向の両側にある縁部には、それぞれ、耳部２２がｘ方向に沿って延在して形成されている。これらの耳部２２は、互いに反対方向に向かって突出している。各耳部２２は、ｘｙ平面と平行な平板状をなす平板部２２１を有している。そして、各耳部２２のうちの一方の耳部２２の平板部２２１は、第１の凸条３０３Ａの頂部３０８上で、第１の挟持板３Ａと第１の挟持板４Ａとの間で挟持される。また、他方の耳部２２の平板部２２１は、第２の凸条３０３Ｂの頂部３０８上で、第２の挟持板３Ｂと第２の挟持板４Ｂとの間で挟持される。
【００３４】
図２、図４に示すように、第１の挟持板３Ａと第２の挟持板３Ｂとは、屋根３０の傾斜方向から見て左右対称的な形状をなし、図２、図６に示すように、第１の挟持板４Ａと第２の挟持板４Ｂとは、屋根３０の傾斜方向から見て左右対称的な形状をなすものとなっている。以下、第１の挟持板３Ａと第２の挟持板３Ｂとの構成については、第１の挟持板３Ａの構成について代表的に説明し、第１の挟持板４Ａと第２の挟持板４Ｂとの構成については、第１の挟持板４Ａの構成について代表的に説明する。
【００３５】
図４に示すように、第１の挟持板３Ａは、第１の凸条３０３Ａに沿った（ｘ方向に沿った）長尺な板状なす金属板を、幅方向（ｙ方向）の所定箇所で折り曲げてなる部材である。この第１の挟持板３Ａは、挟持用平板部３１と、脚部３２と、裾部３３とを有している。
【００３６】
挟持用平板部３１は、ｘｙ平面と平行な平板状をなす部分である。この挟持用平板部３１は、採光部材２の左側に位置する耳部２２の平板部２２１に対する挟持に用いられる。
【００３７】
脚部３２は、挟持用平板部３１のｙ方向の両側から下方に向かって一体的に突出している。これにより、第１の挟持板３Ａは、第１の凸条３０３Ａの平坦な頂部３０８上で、連結係合部３０９を跨いで安定して支持されるとともに、採光部材２に対する挟持状態を安定して維持することができる。
【００３８】
裾部３３は、脚部３２の左側から突出し、第１の凸条３０３Ａの傾斜面３０５と同様に傾斜した部分である。第１の挟持板３Ａは、裾部３３が屋根３０の開口部３０７と反対側に位置するように組み立てられる部材である。そして、第１の凸条３０３Ａの上側に第１の挟持板３Ａを組み立てる際に、裾部３３の位置を確認することにより、当該第１の挟持板３Ａの組み立てる向きを間違えるのを防止することができる。
【００３９】
図６に示すように、第１の挟持板４Ａは、第１の挟持板３Ａと同様に、第１の凸条３０３Ａに沿った（ｘ方向に沿った）長尺な板状なす金属板を、幅方向（ｙ方向）の所定箇所で折り曲げてなる部材である。この第１の挟持板４Ａは、挟持用平板部４１と、脚部４２と、裾部４３とを有している。
【００４０】
挟持用平板部４１は、ｘｙ平面と平行な平板状をなす部分である。この挟持用平板部４１は、第１の挟持板３Ａの挟持用平板部３１とともに、採光部材２の左側に位置する耳部２２の平板部２２１を上下方向に挟持するのに用いられる。
【００４１】
脚部４２は、挟持用平板部４１のｙ方向の両側から下方に向かって一体的に突出している。これにより、第１の挟持板４Ａは、第１の挟持板３Ａの脚部３２上で安定して支持されるとともに、採光部材２に対する挟持状態を安定して維持することができる。
【００４２】
また、脚部４２は、採光部材２の左側の耳部２２をｙ方向から挟持することができる。これにより、第１の挟持板４Ａのｙ方向の位置ズレが防止される。
【００４３】
裾部４３は、脚部４２の左側から突出し、第１の凸条３０３Ａの傾斜面３０５と同様に傾斜した部分である。第１の挟持板４Ａも第１の挟持板３Ａと同様に、裾部４３が屋根３０の開口部３０７と反対側に位置するように組み立てられる部材である。そして、採光部材２を介して第１の挟持板３Ａの上側に第１の挟持板４Ａを組み立てる際に、裾部４３の位置を確認することにより、当該第１の挟持板４Ａの組み立てる向きを間違えるのを防止することができる。また、採光部材２の耳部２２を覆うことで、雨水などの水の進入を防止できると言う利点がある。また、裾部４３の下端部には、組立状態で内側に向かって折り返された折り返し部４３１が設けられている。
【００４４】
以上のような第１の挟持板３Ａと第１の挟持板４Ａとは、採光部材２を挟持した状態で、当該採光部材２の伸縮方向をｘ方向に規制することができる。これにより、採光部材２が使用環境の温度変化によって膨張収縮を繰り返したとしても、その膨張収縮方向が不本意な方向となるのを防止することができる。よって、採光部材２と他の部材との予期せぬ干渉を防止することができ、干渉によるこれらの破損を確実に防止することができる。このことは、第２の挟持板３Ｂと第２の挟持板４Ｂとについても同様である。
【００４５】
前述したように、第１の挟持板３Ａと第１の挟持板４Ａとは、採光部材２を上下方向に挟持することができる。そして、図６に示すように、採光部材２の上側に位置する第１の挟持板４Ａは、採光部材２の下側に位置する第１の挟持板３Ａよりもｙ方向の長さ、すなわち、幅が広い。これにより、図２に示す組立状態で、第１の挟持板４Ａが第１の挟持板３Ａを過不足なく上側から覆う、すなわち、水平面視で包含するように覆うことができる。よって、第１の挟持板４Ａと第１の挟持板３Ａとの間から例えば雨水が浸入してくるのを防止することができる。このことは、第２の挟持板３Ｂと第２の挟持板４Ｂとについても同様である。
【００４６】
なお、第１の挟持板３Ａ、第１の挟持板４Ａ、第２の挟持板３Ｂ、第２の挟持板４Ｂの構成材料としては、特に限定されず、例えば、各種金属材料を用いることができる。
【００４７】
図２、図９、図１２に示すように、挟持力付与機構５は、第１の挟持板３Ａと第１の挟持板４Ａとの間に採光部材２への挟持力を付与するとともに、第２の挟持板３Ｂと第２の挟持板４Ｂとの間に採光部材２への挟持力を付与する機構である。この挟持力付与機構５は、複数本の梁６と、梁６と同数の押さえ付け部材７と、各梁６の左端部を支持、固定する固定部材８Ａと、各梁６の右端部を支持、固定する固定部材８Ｂとを有している。
【００４８】
図２、図７に示すように、押さえ付け部材７は、第１の挟持板４Ａと第２の挟持板４Ｂと採光部材２とを一括して上方から押さえ付ける部材である。この押さえ付け部材７は、ｙ方向に沿った長尺な板状をなす部材を、その長手方向の所定箇所で折り曲げてなる部材であり、第１の押さえ部７１と、第２の押さえ部７２、第３の押さえ部７３とを有している。
【００４９】
第１の押さえ部７１は、押さえ付け部材７の左側に設けられ、第１の挟持板４Ａの挟持用平板部４１を上方から押さえ付けることができる。そして、この押さえ付けにより、第１の挟持板３Ａと第１の挟持板４Ａとの間に、採光部材２を挟持する挟持力を付与することができる。
【００５０】
また、第１の押さえ部７１は、第１の挟持板４Ａの脚部４２および裾部４３上に当接して支持される当接部７１１を有している。この当接により、押さえ付け部材７の左側は、安定して組み立てられた状態となるとともに、当該左側で採光部材２に対する挟持力を安定して付与することができる。なお、採光用構造体１では、第１の挟持板４Ａの脚部４２および裾部４３を、押さえ付け部材７を下方から支持する支持部と言うこともできる。
【００５１】
第２の押さえ部７２は、押さえ付け部材７の右側に設けられ、第２の挟持板４Ｂの挟持用平板部４１を上方から押さえ付けることができる。そして、この押さえ付けにより、第２の挟持板３Ｂと第２の挟持板４Ｂとの間に、採光部材２を挟持する挟持力を付与することができる。
【００５２】
また、第２の押さえ部７２は、第２の挟持板４Ｂの脚部４２および裾部４３上に当接して支持される当接部７２１を有している。この当接により、押さえ付け部材７の右側は、安定して組み立てられた状態となるとともに、当該右側でも採光部材２に対する挟持力を安定して付与することができる。なお、採光用構造体１では、第２の挟持板４Ｂの脚部４２および裾部４３を、押さえ付け部材７を下方から支持する支持部と言うこともできる。
【００５３】
第３の押さえ部７３は、押さえ付け部材７の長手方向の中央部に設けられ、採光部材２の凹部２１の底面２１１および傾斜面２１２に当接して、当該凹部２１を上方から押さえ付けることができる。そして、この押さえ付けにより、例えば採光部材２の反り等を防止または抑制することができる。
このような押さえ付け部材７の上方には、梁６が連結されている。
【００５４】
図２、図８に示すように、梁６は、ｙ方向に沿って延在し、ｘ方向に沿った横断面形状が「Ｌ」字状をなす部材である。図１に示すように、採光用構造体では、梁６は、ｘ方向に沿って間隔を置いて複数本配置されている。
【００５５】
図２、図１１に示すように、梁６の長手方向の途中には、貫通孔６１、貫通孔６２、貫通孔６３、貫通孔６４が形成されている。
【００５６】
貫通孔６１には、押さえ付け部材７の第１の押さえ部７１に上方に向かって突出したボルト７４が挿通する。また、貫通孔６２には、押さえ付け部材７の第２の押さえ部７２に上方に向かって突出したボルト７５が挿通する。そして、挿通状態のボルト７４にナット１１を螺合させるとともに、挿通状態のボルト７５にナット１２を螺合させることができる。これにより、梁６と押さえ付け部材７とを確実に連結することができる。
【００５７】
また、貫通孔６３には、固定部材８Ａのボルト８２が挿通し、貫通孔６４には、固定部材８Ｂのボルト８２が挿通することとなる。
【００５８】
図１０に示すように、固定部材８Ａは、第３の凸条３０３Ｃの頂部３０８に配置され、固定部材８Ｂは、第４の凸条３０３Ｄの頂部３０８に配置される。
【００５９】
固定部材８Ａは、その内側に第３の凸条３０３Ｃの連結係合部３０９を収納することができ、また、当該連結係合部３０９に係合する係合部８１を有している。この係合により、図１１、図１２に示すように、固定部材８Ａを第３の凸条３０３Ｃに固定することができる。
【００６０】
固定部材８Ａと同様に、固定部材８Ｂも、その内側に第４の凸条３０３Ｄの連結係合部３０９を収納することができ、また、当該連結係合部３０９に係合する係合部８１を有している。この係合により、図１１、図１２に示すように、固定部材８Ｂを第４の凸条３０３Ｄに固定することができる。
【００６１】
固定部材８Ａおよび固定部材８Ｂには、それぞれ、上方に向かって突出したボルト８２が設けられている。そして、固定部材８Ａのボルト８２を梁６の貫通孔６３に挿通させ、固定部材８Ｂのボルト８２を梁６の貫通孔６４に挿通させることができる。また、貫通孔６３を挿通した挿通状態のボルト８２にナット１３を螺合させるとともに、貫通孔６４を挿通した挿通状態のボルト８２にナット１４を螺合させることができる。これにより、梁６は、その左端部が固定部材８Ａを介して固定され、右端部が固定部材８Ｂを介して固定された状態となる。このような固定状態が得られることにより、図２、図９に示すように、押さえ付け部材７を介して、第１の挟持板３Ａと第１の挟持板４Ａとの間と、第２の挟持板３Ｂと第２の挟持板４Ｂとの間とに一括して採光部材２に対する挟持力を確実に付与することができる。
【００６２】
なお、梁６、押さえ付け部材７、固定部材８Ａ、固定部材８Ｂの構成材料としては、特に限定されず、例えば、各種金属材料を用いることができる。
【００６３】
以上のような構成の挟持力付与機構５により、第１の挟持板３Ａと第１の挟持板４Ａとの間に採光部材２への挟持力を付与することができるとともに、第１の挟持板３Ａと第１の挟持板４Ａとの間に採光部材２への挟持力を付与することができる。
【００６４】
ここで、例えば採光部材２がボルト等のねじ止めによって屋根３０に対して固定された場合を考えてみる。この場合、採光部材２が使用環境の温度変化によって膨張収縮を繰り返すと、採光部材２に形成されたボルト用孔の縁部にボルトが干渉して亀裂が生じることがある。この亀裂は、雨水等の水が屋内４０に浸入してくる原因となることがある。また、ボルトとの干渉を防止しようとして、ボルト用孔の大きさを十分に確保したとしても、ボルト用孔が大きくなった分、当該ボルト用孔を介して雨水等の水が屋内４０に浸入してくることがある。
【００６５】
これに対し、採光用構造体１では、採光部材２は、屋根３０に対しては、挟持力付与機構５で挟持されることによって固定されている。これにより、採光部材２が使用環境の温度変化によって膨張収縮を繰り返したとしても、当該採光部材２は、ボルトとの干渉等による亀裂や破断が確実に防止される。従って、採光用構造体１は、使用環境の温度変化に対する耐久性を有する構成となっており、これにより、雨水等の水が屋内４０に浸入してくるのを防止することができる。
【００６６】
次に、採光用構造体１を屋根３０に施工する施工方法について、図３〜図１２を参照しつつ説明する。この施工方法は、第１の工程と、第２の工程と、第３の工程と、第４の工程とを有する。
【００６７】
［１］  第１の工程
図３に示すように、屋根３０には、予め開口部３０７が設けられている。
【００６８】
図４に示すように、第１の凸条３０３Ａの頂部３０８上に第１の挟持板３Ａを設置するとともに、第２の凸条３０３Ｂの頂部３０８上に第２の挟持板３Ｂを設置する。このとき、第１の挟持板３Ａの裾部３３が開口部３０７と反対側となるように、当該第１の挟持板３Ａを設置する。同様に、第２の挟持板３Ｂの裾部３３が開口部３０７と反対側となるように、当該第２の挟持板３Ｂを設置する。
【００６９】
［２］  第２の工程
次いで、図５に示すように、採光部材２の各耳部２２を第１の挟持板３Ａと第２の挟持板３Ｂとの上にそれぞれ重ねつつ、当該採光部材２で開口部３０７を覆う。
【００７０】
［３］  第３の工程
次いで、図６に示すように、採光部材２を介して、第１の挟持板４Ａを第１の挟持板３Ａ上に重ねるとともに、第２の挟持板４Ｂを第２の挟持板３Ｂ上に重ねる。このとき、第１の挟持板４Ａの裾部４３が開口部３０７と反対側となるように、当該第１の挟持板４Ａを設置する。同様に、第２の挟持板４Ｂの裾部４３が開口部３０７と反対側となるように、当該第２の挟持板４Ｂを設置する。
【００７１】
［４］  第４の工程
次いで、図７〜図１２に示すように、挟持力付与機構５を設置する。
【００７２】
この工程では、まず、図７に示すように、挟持力付与機構５の押さえ付け部材７を設置する。このとき、押さえ付け部材７の第１の押さえ部７１を第１の挟持板４Ａの上に重ね、第２の押さえ部７２を第２の挟持板４Ｂの上に重ね、第３の押さえ部７３を採光部材２の上に重ねる。
【００７３】
一方、図１０に示すように、第３の凸条３０３Ｃの頂部３０８に固定部材８Ａを設置するとともに、第４の凸条３０３Ｄの頂部３０８に固定部材８Ｂを設置する。
【００７４】
次いで、図８に示すように、梁６の貫通孔６１に押さえ付け部材７のボルト７４を挿通させるとともに、貫通孔６２にボルト７５を挿通させる。また、図１１に示すように、同じ梁６の貫通孔６３に固定部材８Ａのボルト８２を挿通させるとともに、貫通孔６４に固定部材８Ｂのボルト８２を挿通させる。
【００７５】
次いで、図９に示すように、押さえ付け部材７のボルト７４にナット１１を螺合させるとともに、ボルト７５にナット１２を螺合させる。また、図１２に示すように、固定部材８Ａのボルト８２にナット１３を螺合させるとともに、固定部材８Ｂのボルト８２にナット１４を螺合させる。これらの螺合により、第１の挟持板３Ａと第１の挟持板４Ａとの間に採光部材２への挟持力を付与することができるとともに、第２の挟持板３Ｂと第２の挟持板４Ｂとの間にも採光部材２への挟持力を付与することができる。これにより、前述したように、採光部材２は、使用環境の温度変化によって膨張収縮を繰り返したとしても、亀裂や破断が確実に防止された状態となる。
【００７６】
以上のような工程を経ることにより、屋根３０への採光用構造体１の施工を迅速かつ確実に行なうことができる。
【００７７】
＜第２実施形態＞
図１３は、本発明の採光用構造体の第２実施形態を示す垂直横断面図である。
【００７８】
以下、この図を参照して本発明の採光用構造体および採光用構造体の施工方法の第２実施形態について説明するが、前述した実施形態との相違点を中心に説明し、同様の事項はその説明を省略する。
本実施形態は、採光部材の構成が異なること以外は前記第１実施形態と同様である。
【００７９】
図１３に示すように、本実施形態では、採光部材２は、各耳部２２からさらに突出した裾部２３を有している。この裾部２３は、凸条３０３の傾斜面３０５と同様に傾斜した部分である。
【００８０】
また、各裾部２３の下端部（縁部）には、組立状態で内側に向かって折り返された折り返し部２３１が設けられている。例えば第１の挟持板４Ａの裾部４３と凸条３０３の傾斜面３０５との間から風が入り込んだ場合、採光部材２は、裾部２３でめくり上げられそうになる。しかしながら、裾部２３の折り返し部２３１が第１の挟持板３Ａの裾部３３に係合することができるため、採光部材２の裾部２３がめくり上げられることが確実に防止される。
【００８１】
＜第３実施形態＞
図１４は、本発明の採光用構造体の第３実施形態を示す斜視図である。
【００８２】
以下、この図を参照して本発明の採光用構造体および採光用構造体の施工方法の第３実施形態について説明するが、前述した実施形態との相違点を中心に説明し、同様の事項はその説明を省略する。
【００８３】
本実施形態は、屋根の開口部の大きさを規制する規制部材を備えること以外は前記第１実施形態と同様である。
【００８４】
図１４に示すように、本実施形態では、採光用構造体１は、屋根３０の開口部３０７のｙ方向の大きさを規制する規制部材９をさらに備えている。開口部３０７を設けることによって、屋根３０の強度が低下する。この場合、開口部３０７のｙ方向に変形し易くなるが、規制部材９によってその変化を規制することができる。また、風圧や積雪など鉛直方向に力が加わった際、規制部材９によって、採光部材２を支持することができる。これにより、採光部材２で開口部３０７を安定して覆った状態を長期間にわたって維持することができる。
【００８５】
規制部材９は、採光用構造体１の施工方法での第１の工程を行なうよりも以前に設置される。この規制部材９は、第１の凸条３０３Ａの頂部３０８と第２の凸条３０３Ｂの頂部３０８との間に架設され、第１の凸条３０３Ａの頂部３０８に係合する係合部９１と、第２の凸条３０３Ｂの頂部３０８に係合する係合部９２とを有している。また、規制部材９は、組立状態で採光部材２の凹部２１との干渉が防止される逃げ部９３を有している。
【００８６】
規制部材９の構成材料としては、特に限定されず、例えば、各種金属材料を用いることができる。
【００８７】
なお、規制部材９は、図１４中では１つ配置されているが、これに限定されず、ｘ方向に沿って間隔を置いて複数配置されるのが好ましい。
【００８８】
＜第４実施形態＞
図１５は、本発明の採光用構造体の第４実施形態を示す垂直横断面図である。
【００８９】
以下、この図を参照して本発明の採光用構造体および採光用構造体の施工方法の第４実施形態について説明するが、前述した実施形態との相違点を中心に説明し、同様の事項はその説明を省略する。
本実施形態は、採光部材の構成が異なること以外は前記第２実施形態と同様である。
【００９０】
図１５に示すように、本実施形態では、採光部材２は、各耳部２２からさらに突出した裾部２３を有している。この裾部２３は、前記第２実施形態と異なり、折り返し部２３１が省略されている。このような裾部２３により、例えば採光部材２の構造を前記第２実施形態のものよりも簡単なものとすることができる。また、挟持板（第１の挟持板３Ａ、第２の挟持板３Ｂ、第１の挟持板４Ａ、第２の挟持板４Ｂ）と重なる部分が大きくなるため、風圧や積雪による荷重に対する耐久性を大きくすることができる。さらに、第１の挟持板３Ａまたは第２の挟持板３Ｂを採光部材２で覆うことで、漏水の可能性を低くすることができると言う利点がある。
【００９１】
なお、裾部２３の突出長さとしては、例えば、第１の挟持板３Ａ（第２の挟持板３Ｂ）の裾部３３の突出長さと、第１の挟持板４Ａ（第２の挟持板４Ｂ）の裾部４３の突出長さとの中間の大きさであるのが好ましい。
【００９２】
以上、本発明の採光用構造体および採光用構造体の施工方法を図示の実施形態について説明したが、本発明は、これに限定されるものではない。また、採光用構造体を構成する各部は、同様の機能を発揮し得る任意の構成のものと置換することができる。また、任意の構成物が付加されていてもよい。
【００９３】
また、本発明の採光用構造体および採光用構造体の施工方法は、前記各実施形態のうちの、任意の２以上の構成（特徴）を組み合わせたものであってもよい。
【００９４】
また、採光部材は、凹部を有するものとなっているが、全体形状が平板状をなすものであってもよい。
【００９５】
また、挟持力付与機構は、前記各実施形態では複数本の梁を有する構成となっているが、これに限定されず、採光部材のｘ方向に沿った長さ、すなわち、採光部材の全長によっては、１本であってもよい。
【符号の説明】
【００９６】
１            採光用構造体
２            採光部材
２１          凹部
２１１        底面
２１２        傾斜面
２２          耳部
２２１        平板部
２３          裾部
２３１        折り返し部
３Ａ          第１の挟持板
３Ｂ          第２の挟持板
３１          挟持用平板部
３２          脚部
３３          裾部
４Ａ          第１の挟持板
４Ｂ          第２の挟持板
４１          挟持用平板部
４２          脚部
４３          裾部
４３１        折り返し部
５            挟持力付与機構
６            梁
６１、６２、６３、６４  貫通孔
７            押さえ付け部材
７１          第１の押さえ部
７１１        当接部
７２          第２の押さえ部
７２１        当接部
７３          第３の押さえ部
７４、７５    ボルト
８Ａ、８Ｂ    固定部材
８１          係合部
８２          ボルト
９            規制部材
９１、９２    係合部
９３          逃げ部
１１、１２、１３、１４  ナット
２０          工場
３０          屋根
３０１        壁際部
３０２        軒先
３０３        凸条
３０３Ａ      第１の凸条
３０３Ｂ      第２の凸条
３０３Ｃ      第３の凸条
３０３Ｄ      第４の凸条
３０４        溝
３０５        傾斜面
３０６        底部
３０７        開口部
３０８        頂部
３０９        連結係合部
４０          屋内
ＮＬ          自然光
【図１】
2017186774.tif 000003
【図２】
2017186774.tif 000004
【図３】
2017186774.tif 000005
【図４】
2017186774.tif 000006
【図５】
2017186774.tif 000007
【図６】
2017186774.tif 000008
【図７】
2017186774.tif 000009
【図８】
2017186774.tif 000010
【図９】
2017186774.tif 000011
【図１０】
2017186774.tif 000012
【図１１】
2017186774.tif 000013
【図１２】
2017186774.tif 000014
【図１３】
2017186774.tif 000015
【図１４】
2017186774.tif 000016
【図１５】
2017186774.tif 000017